(57)【要約】【課題】  建物に設置される吸湿剤のライフサイクルをロングライフ化する【解決手段】  建物の建設中および完成後の少なくとも一方において建物を調湿する方法は、建物の床下において、通気性を有する容器内に収容された調湿剤を、床下の土間よりも上方かつ土間と接触しない位置に、少なくとも一部分が空気に解放された状態で配置する配置工程を備える。【選択図】図１
2016180227.tif 000002
【特許請求の範囲】
【請求項１】
建物の建設中および完成後の少なくとも一方において前記建物を調湿する方法であって、
前記建物の床下において、通気性を有する容器内に収容された調湿剤を、前記床下の土間よりも上方かつ該土間と接触しない位置に、少なくとも一部分が空気に解放された状態で配置する配置工程を備える
建物を調湿する方法。
【請求項２】
請求項１に記載の建物を調湿する方法であって、
前記容器は、前記調湿剤を収容しないシート状部と、該シート状部の両側に配置され、前記調湿剤が内部に収容された袋状部と、を備え、
前記配置工程は、前記シート状部を前記床下の根太、大引きおよび土台のうちの少なくとも１つに掛けて、前記シート状部の両側の前記袋状部が前記根太、大引きおよび土台のうちの少なくとも１つの両脇で吊り下げられるように、前記容器を配置する工程を備える
建物を調湿する方法。
【請求項３】
請求項１に記載の建物を調湿する方法であって、
さらに、前記床下の隣接する根太間にネットを張る工程を備え、
前記配置工程は、前記容器内に収容された前記調湿剤を前記ネット上に載置する工程を備える
建物を調湿する方法。
【請求項４】
請求項１に記載の建物を調湿する方法であって、
前記配置工程は、固定手段によって、前記床下の根太、大引き、火打、土台および基礎のうちの少なくとも１つに前記容器を固定する工程を備える
建物を調湿する方法。
【請求項５】
調湿部材であって、
通気性を有する容器と、
前記容器内に収容された調湿剤と
を備え、
前記容器は、前記調湿剤を収容しないシート状部と、該シート状部の両側に配置され、前記調湿剤が内部に収容された袋状部と、を備える
調湿部材。
【請求項６】
建物であって、
通気性を有する容器内に収容された調湿剤を前記建物の床下に備え、
前記容器内に収容された前記調湿剤は、前記床下の土間よりも上方かつ該土間と接触しない位置に、少なくとも一部分が空気に解放された状態で配置された
建物。
【発明の詳細な説明】
【技術分野】
【０００１】
本発明は、建物の建設中および完成後の少なくとも一方において建物を調湿する技術に関する。
【背景技術】
【０００２】
建築現場等においては、季節や地域によっては、乾燥状態を保ちながら施工をすることが困難である。高温多湿の状態が継続することにより床下・壁内・室内にカビが発生する。このカビの発生を防止するために高機能な除湿性能が求められる。従来、このようなカビの発生を防止するために、床下の土間上に吸湿剤が設置されていた。
【発明の概要】
【発明が解決しようとする課題】
【０００３】
しかしながら、床下の土間には雨水等が流入しやすい。土間に雨水等が流入すると、土間上に設置された吸湿剤は、多量の水を吸収することになる。このように多量の水を吸収した吸湿剤は、吸収した水分を放散することができず、その時点で除湿機能が失われることになる。このため、長期にわたって除湿性能を保持することが困難となり、吸湿剤のライフサイクルが短くなる。このようなことから、吸湿剤のライフサイクルをロングライフ化することが望まれる。このことは、施工中に限らず、完成後（使用時）においても共通する。また、吸湿剤は、施工時において適切な設置位置に容易に配置可能であることが望ましい。また、床工事に関わる部材との干渉を発生させないことが望ましい。換言すれば、吸湿剤の設置のための設計変更を必要としないことが望ましい。
【課題を解決するための手段】
【０００４】
本発明は、上述の課題の少なくとも一部を解決するためになされたものであり、例えば、以下の形態として実現することが可能である。
【０００５】
本発明の第１の形態によれば、建物の建設中および完成後の少なくとも一方において建物を調湿する方法が提供される。この方法は、建物の床下において、通気性を有する容器内に収容された調湿剤を、床下の土間よりも上方かつ土間と接触しない位置に、少なくとも一部分が空気に解放された状態で配置する配置工程を備える。
【０００６】
かかる建物を調湿する方法によれば、床下において、床下の土間よりも上方かつ土間と接触しない位置に調湿剤が配置されるので、床下に雨水等が流入した場合であっても、調湿剤がその流入水を吸収することがない。つまり、調湿剤が、流入水の吸収によってそれ以上吸湿できない状態になることがない。このため、調湿剤は、高湿度環境では吸湿し、低湿度環境では排湿することができ、調湿剤のライフサイクルをロングライフ化することができる。
【０００７】
本発明の第２の形態によれば、第１の形態において、容器は、調湿剤を収容しないシート状部と、シート状部の両側に配置され、調湿剤が内部に収容された袋状部と、を備える。配置工程は、シート状部を床下の根太、大引きおよび土台のうちの少なくとも１つに掛けて、シート状部の両側の袋状部が根太、大引きおよび土台のうちの少なくとも１つの両脇で吊り下げられるように、容器を配置する工程を備える。かかる形態によれば、吸湿剤を容易に設置可能であり、また、床工事に関わる部材との干渉が発生することもない。しかも、吸湿剤が全面的に空気に解放されるので、調湿剤の調湿機能を最大限に発揮させることができる。
【０００８】
本発明の第３の形態によれば、第１の形態において、建物を調湿する方法は、さらに、床下の隣接する根太間にネットを張る工程を備える。配置工程は、容器内に収容された調湿剤をネット上に載置する工程を備える。かかる形態によれば、第２の形態と同様の効果を奏する。
【０００９】
本発明の第４の形態によれば、第１の形態において、配置工程は、固定手段によって、床下の根太、大引き、火打、土台および基礎のうちの少なくとも１つに容器を固定する工程を備える。かかる形態によれば、吸湿剤を容易に設置可能であり、また、床工事に関わる部材との干渉が発生することもない。しかも、固定箇所および固定手段を選択することによって、完成後の建物に適用することも可能である。
【００１０】
本発明の第５の形態によれば、調湿部材が提供される。この調湿部材は、通気性を有する容器と、容器内に収容された調湿剤と、を備える。容器は、調湿剤を収容しないシート状部と、シート状部の両側に配置され、調湿剤が内部に収容された袋状部と、を備える。かかる調湿部材は、第２の形態の建物を調湿する方法に適している。
【００１１】
本発明の第６の形態によれば、建物が提供される。この建物は、通気性を有する容器内に収容された調湿剤を建物の床下に備える。容器内に収容された調湿剤は、床下の土間よりも上方かつ土間と接触しない位置に、少なくとも一部分が空気に解放された状態で配置される。かかる建物によれば、第１の形態と同様の効果を奏する。第６の形態において、第２ないし第４の形態のいずれかの方法で、調湿剤を配置することも可能である。
【図面の簡単な説明】
【００１２】
【図１】本発明の第１実施例としての建物の調湿方法を実施した様子を示す図である。
【図２】図１に示した調湿部材の断面図である。
【図３】第２実施例としての調湿方法を実施した様子を示す断面図である。
【図４】第３実施例としての調湿方法を実施した様子を示す断面図である。
【発明を実施するための形態】
【００１３】
Ａ．第１実施例：
図１は、本発明の第１実施例としての建物の調湿方法を実施した様子を示す図である。この調湿方法は、建物の建設中に実施される。図示する建物は、建設途中にあり、土間１１から立ち上がった基礎１２上に配置された土台１３および大引１４（工法によっては、土台１４となる）に支持されるように、複数の根太１５が互いに間隔を隔てて配置されている。この根太１５には、複数の調湿部材２０が掛けられている。このように調湿部材２０が配置された後、根太１５上には、床材が設置されることになる。つまり、調湿部材２０は、床下に設置される。図１に示すように、調湿部材２０は、土間１１よりも上方に、土間１１と接触しないように設置されている。調湿部材２０と土間１１との離隔距離は、床下に流入した雨水等が調湿部材２０と接触しないようにするために、大きいほど好ましい。例えば、当該離隔距離は、好ましくは、５ｃｍ以上、より好ましくは１０ｃｍ以上、さらに好ましくは２０ｃｍ以上である。なお、土間１１は、本実施例では、コンクリートスラブであるが、任意の土間とすることができる。例えば、土間１１は、砂利敷、砂敷、床下ピットの底部などであってもよい。
【００１４】
本願において、調湿とは、設置空間の湿度が高い状態の時に吸湿し、湿度が低い状態の時に排湿する機能をいう。除湿とは、設置空間の湿度を吸湿剤により下げる機能をいう。また、吸湿とは、空気中の水分を吸収することをいい、排湿とは、吸収した水分を空気中に放散することをいう。
【００１５】
調湿部材２０は、設置空間（つまり、床下空間）の湿度に応じて、吸湿または排湿を行う。これによって、建物の建設中や完成後において、床下空間における湿度上昇に起因して、床下や床上の居室にカビが発生することを抑制することができる。
【００１６】
図２は、根太１５が延在する方向と直交する方向に切った調湿部材２０の断面を示している。図示するように、調湿部材２０は、容器３０と調湿剤４０とを備えている。容器３０は、調湿剤４０を収容するためのものであり、シート状部分３１と、袋状部３２，３３と、を備えている。シート状部分３１は、シート状に形成されているので、この部分には、調湿剤４０は収容されない。袋状部３２，３３は、調湿剤４０を収容するために袋状に形成されている。また、袋状部３２，３３は、本実施例では、シート状部分３１の両側に配置されている。容器３０のうちの少なくともシート状部分３１は、通気性を有する材料で形成されている。調湿剤４０には、吸湿および排湿機能を有する任意の材料（例えば、シリカ、炭、ゼオライト等）を使用することができる。
【００１７】
図２に示すように、調湿部材２０は、シート状部分３１を根太１５に掛けて、２つの袋状部３２，３３（つまり、調湿剤４０）が、根太１５の下方の両脇で吊り下げられるように配置されている。
【００１８】
上述した調湿部材２０による建物の調湿方法によれば、調湿部材２０が土間１１よりも上方に土間１１と接触しないように配置されている。換言すれば、調湿部材２０は、土間１１上に直置きされず、中空設置されている。したがって、土間１１に雨水等が流入した場合であっても、流入水と調湿剤４０とが接触することがない。したがって、調湿剤４０が流入水を吸収することがない。つまり、調湿剤４０が、流入水の吸収によってそれ以上吸湿できない状態になることがない。このため、調湿剤４０は、高湿度環境では吸湿し、低湿度環境（除湿機能が不要となる乾期）では排湿することができ、調湿剤４０のライフサイクルをロングライフ化することができる。換言すれば、建物の床下や床上でのカビの発生を長期にわたって抑制することができる。かかる調湿剤４０の適切な調湿機能は、建物の完成後においても継続的に確保されるので、建物での人の居住後においても室内環境の向上に寄与できる。
【００１９】
また、調湿部材２０による建物の調湿方法によれば、調湿部材２０を根太１５に掛ける単純作業のみで調湿部材２０を容易に設置することができる。また、床工事に関わる部材との干渉が発生することもないので、調湿部材２０を設置するための設計変更も必要ない。
【００２０】
しかも、調湿剤４０の上記の配置によれば、調湿剤４０が全面的に空気に解放された状態となる。したがって、調湿剤４０の調湿機能を最大限に発揮させることができる。調湿部材２０は、根太１５に代えて、または、加えて、大引１４（工法によっては、土台１４）に掛けられてもよい。
【００２１】
Ｂ．第２実施例：
図３は、本発明の第２実施例としての建物の調湿方法を実施した様子を示す断面図である。図３において、第１実施例（図１，図２）と同一の構成要素には、図１および図２と同一の符号を付している。以下では、第１実施例と異なる点についてのみ説明する。図３に示すように、第２実施例としての調湿部材１２０は、袋状の容器１３０を備えている。容器１３０の内部には、調湿剤４０が収容されている。
【００２２】
隣接する２つの根太１５の間には、多数の孔部を有するネット１５０が張られている。ネット１５０は、接着剤、ひも、ビスなど、任意の固定手段によって根太１５に固定されている。本実施例では、図３に示されるように、ネット１５０は、隣接する２つの根太１５の外側の面にそれぞれ固定されているが、内側の面（互いに対向する面）に固定されていてもよい。調湿部材１２０は、土間１１よりも上方かつ土間１１と接触しない状態で、ネット１５０上に載置される。このとき、調湿部材１２０は、根太１５の上端ラインＵＬよりも下方に設置される。上端ラインＵＬと調湿部材１２０との間には空隙が形成されている。このように調湿部材１２０が載置された後、根太１５上には床材が設置されることになる。調湿部材１２０は、上端ラインＵＬよりも下方に配置されるので、調湿部材１２０が床材と干渉することはない。かかる調湿部材１２０による建物の調湿方法によれば、第１実施例と同様の効果を奏する。ネット１５０を張る方法に代えて、隣接する２つの根太１５からひもによって調湿部材１２０を吊り下げることも可能である。
【００２３】
Ｃ．第３実施例：
図４は、本発明の第３実施例としての建物の調湿方法を実施した様子を示す断面図である。図４において、第１実施例（図１，図２）と同一の構成要素には、図１および図２と同一の符号を付している。以下では、第１実施例と異なる点についてのみ説明する。図４に示すように、第３実施例としての調湿部材２２０は、調湿剤４０と容器２３０とを備えている。容器２３０は、シート状部分２３１と袋状部２３２とを備えている。袋状部２３２には、調湿剤４０が収容されている。シート状部分２３１は、袋状部２３２の端部から袋状部２３２と反対方向に延在している。
【００２４】
かかる調湿部材２２０は、土間１１よりも上方かつ土間１１と接触しない状態で、釘２６０によって土台１３の側面に固定されている。本実施例では、シート状部分２３１が釘２６０によって土台１３に固定され、袋状部２３２が吊り下げられた状態になっている。このように建築構成要素の側面に調湿部材２２０を固定する手法は、完成後の建物にも適用することができる。つまり、既設建物においても、防カビ対策を講じることができる。シート状部分２３１は、建築構成要素への固定を補助するための固定補助手段を備えていてもよい。固定補助手段は、例えば、釘２６０を挿入するため、または、釘等の突起物と係合するための穴（周囲が補強されているものを含む）、接着剤が塗布された接着層などであってもよい。シート状部分２３１は、建築構成要素への調湿部材２２０の取付を容易にするために設けられているが、必ずしも必要ではない。
【００２５】
図４に示した例において、調湿剤４０を収容する袋状部２３２の一部分は、基礎１２の側面と接触しているが、その他の部分は、空気に解放されている。調湿部材２２０は、釘２６０に代えて、接着剤、ひも、ビスなど、任意の固定手段によって土台１３に固定されてもよい。また、調湿部材２２０は、土台１３に限らず、土間１１よりも上方に位置する床下の任意の建築構成要素、例えば、基礎１２、土台１３、大引１４、根太１５、火打（図１では図示せず）のうちの少なくとも１つに固定することができる。例えば、調湿部材２２０は、根太１５の下部において、ひもによって根太１５にくくり付けられていてもよい。
【００２６】
かかる調湿部材２２０による建物の調湿方法によれば、調湿剤４０と床下に流入した雨水等とが接触することを避けて、調湿剤４０のライフサイクルをロングライフ化することができる。また、調湿部材２２０は、容易に設置可能であり、また、床工事に関わる部材との干渉が発生することもない。
【００２７】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各形態要素の任意の組み合わせ、または、省略が可能である。
【符号の説明】
【００２８】
１１…土間
１２…基礎
１３…土台
１４…大引
１５…根太
２０，１２０，２２０…調湿部材
３０，１３０，２３０…容器
３１，２３１…シート状部分
３２，３３，２３２…袋状部
４０…調湿剤
１５０…ネット
２６０…釘
ＵＬ…上端ライン
【図１】
2016180227.tif 000003
【図２】
2016180227.tif 000004
【図３】
2016180227.tif 000005
【図４】
2016180227.tif 000006